(57)【特許請求の範囲】
【請求項１】
電極に導電端子を設けたランプと、このランプを収納して前記導電端子を貫着する溝を有し前記ランプの光を放射する光出力開口部を有する配光制御用の外殻部材と、前記光出力開口部の全体または一部を覆う配光制御部材とを備え、前記導電端子の先端が前記溝を通して前記外殻部材の外面より突出した照明装置。
【請求項２】
電極にリード線を介して導電端子を接続したランプと、前記リード線および前記導電端子を同時成形し前記導電端子の一部を外面に突出するとともに前記ランプの光を放射する光出力開口部を有する配光制御用の外殻部材と、前記光出力開口部の全体または一部を覆う配光制御部材とを備えた照明装置。
【請求項３】
前記外殻部材および前記配光制御部材とで全体的に拡散性を有する透光筒状を形成した請求項１または請求項２記載の照明装置。
【発明の詳細な説明】
【０００１】
【発明の属する技術分野】
この発明は、冷陰極蛍光灯を用いた高輝度誘導灯や表示灯等の冷陰極蛍光灯照明器具などに使用される光源ユニット等の照明装置に関するものである。
【０００２】
【従来の技術】
第１の従来例を図１８に示す。すなわち、片面に反射シート１０３を設け他の片面に光拡散シート１０２を設けた導光板１０１の両側にそれぞれ一対のランプホルダ１０４の付いた一対のランプカバー１０５を設け、各ランプホルダ１０４に蛍光ランプ（図示せず）および予備蛍光ランプ（図示せず）を保持している。１０６はコネクタである。
【０００３】
第２の従来例を図１９に示す。すなわち、冷陰極蛍光灯１０７のランプ口金を覆うブッシング１０８にランプ線１０９を接続し、ランプ線１０９に発振器と接続するコネクタ１１０を接続し、冷陰極蛍光灯１０７およびランプ線１０９を一体で交換可能にしている。
第３の従来例を図２０に示す。すなわち、冷陰極蛍光灯（図示せず）を内蔵した外殻を兼ねた反射板１１１および導光板１１２をユニット化したもので、これらを一体として交換可能にしている。
【０００４】
第４の従来例を図２１に示す。すなわち、樹脂ケース１１３に導電端子１１４およびランプホルダ１１５を設け、ランプホルダ１１５に冷陰極蛍光灯１１６を装着し、冷陰極蛍光灯１１６を挿入する凹部１１７を形成した導光板１１８を樹脂ケース１１３内に収納し、導光板１１８の表面に表示板１１９を設けている。
【０００５】
【発明が解決しようとする課題】
しかし、第３の従来例は導光板１１２と一体でランプ交換するため高価になる欠点があり、ランプ交換を前提とする照明器具には向かなかった。
第２の従来例は導光板と分離してランプ交換するものであるが、冷陰極蛍光灯１０７のランプ径が細いため冷陰極蛍光灯１０７が取扱時に割れやすかった。
【０００６】
また第２の従来例および第３の従来例はランプ交換時にランプ線１０９の処理が煩わしく、そのランプ線１０９から漏れ電流が発生しやすかった。
さらに第１の従来例、第３の従来例および第４の従来例は、ランプから導光板に光を出すだけの制御しかしてなく、ランプの長手方向の制御は特になされていなかった。
【０００７】
したがって、この発明の目的は、ランプ交換時の破損等がしにくくランプ線処理の煩わしさがなく、安価に交換できるとともに、光出力開口部で配光制御ができ、さらに電圧がかかっている部分に触れにくく安全な照明装置を提供することである。
【０００８】
【課題を解決するための手段】
請求項１の照明装置は、電極に導電端子を設けたランプと、このランプを収納して前記導電端子を貫着する溝を有し前記ランプの光を放射する光出力開口部を有する配光制御用の外殻部材と、前記光出力開口部の全体または一部を覆う配光制御部材とを備え、前記導電端子の先端が前記溝を通して前記外殻部材の外面より突出したものである。
請求項１の照明装置によれば、ランプを点灯すると配光制御部材から配光された光が出射する。したがって配光制御部材の前側に導光板の入射部分を配置すると導光板に入射する光を制御できるので効率がよく、しかも導光板の射出面に配光制御部材を設けるものと比較して面積が小さいので安価になる。またランプ交換時にはランプ，外殻部材および配光制御部材がユニットで行なわれ、導光板は交換されないので安価にでき、また外殻部材でランプを覆ったまま交換できるのでランプが冷陰極蛍光灯のように細い径であっても破損等がない。また導電端子を用いたのでランプ線処理の煩わしさがない。さらに電圧がかかっている部分に触れにくく、ランプの強制発振を続けてもランプ線と比較して漏れ電流が発生しにくく、ランプ光束の立ち上がりが安定し、冷所や暗所での始動性がよい。また配光制御部材をたとえば拡散性にして照明装置を表示板の厚さ方向の裏面側に配置するように使用することもできる。
【０００９】
請求項２の照明装置は、電極にリード線を介して導電端子を接続したランプと、前記リード線および前記導電端子を同時成形し前記導電端子の一部を外面に突出するとともに前記ランプの光を放射する光出力開口部を有する配光制御用の外殻部材と、前記光出力開口部の全体または一部を覆う配光制御部材とを備えたものである。
請求項２の照明装置によれば、請求項１と同様な効果がある。
請求項３の照明装置は、請求項１または請求項２において、前記外殻部材および前記配光制御部材とで全体的に拡散性を有する透光筒状を形成したものである。
【００１０】
請求項３の照明装置によれば、請求項１または請求項２と同様な効果のほか、表示板の板厚方向の内側にこの照明装置を配置するような内照式の照明器具に適用でき、ランプ線の影が表示面に映り込んだりせず、また発光面積が大きくなるので表示面に輝度むらができにくい。
【００１１】
【発明の実施の形態】
この発明の第１の実施の形態を図１ないし図３により説明する。すなわち、この照明装置は、ランプ１と、外殻部材２と、配光制御部材３とを有する。
ランプ１は、直管形の冷陰極蛍光灯を用いている。
外殻部材２は配光制御用であり、ランプ１を接続する導電端子４を有し、ランプ１の光を放射する光出力開口部５を有する。実施の形態では、外殻部材２が断面Ｕ字形であって、両端を端板６で閉じ、側面に光出力開口部５を形成し、両端の奥部の長手方向と直角な方向に長い溝７を形成し、導電端子４の一端をランプ１の両端に電気的機械的に接続し、他端を溝７に貫着して導電端子４を外殻部材２に取付けている。また光出力開口部５の縁部に複数のスリット８を形成している。
【００１２】
配光制御部材３は、外殻部材２の光出力開口部５の全体を覆っている。実施の形態ではレンズフィルム等の集光性の透光性部材により形成しており、スリット８に嵌合する係合片９を両側に一体に延出している。
この照明装置の組立は、ランプ１に導電端子４を取付け、導電端子４を溝７に貫着して外殻部材２にランプ１および導電端子４を取付け、配光制御部材３の係合片９をレンズフィルムの弾力性を利用してスリット８に挿着する。
【００１３】
図２は配光制御部材３の前側に導光板１０の入射面１１を対向した状態であり、図示していないが導光板１０の表面に表示板を設け、全体を器具本体に保持させると表示灯や誘導灯などの照明器具となる。
図３は配光制御部材３による配光曲線を示している。ａが配光制御部材３がない場合であり、前記したように光出力開口部５から光を出すだけの制御しかしてなく、ランプ１の長手方向（矢印）の制御は特になされていない。ｂは配光制御部材３により、導光板１０の入射面１１への入射光を増大している場合である。
【００１４】
この実施の形態によれば、ランプ１を点灯すると配光制御部材３から配光された光が出射する。したがって配光制御部材３の前側に導光板１０の入射面１１を配置すると導光板１０に入射する光を制御できるので効率がよく、しかも導光板１０の射出面に配光制御部材３を設けるものと比較して面積が小さいので安価になる。すなわち、図２２に示す提案例のように、外殻部材３の内部にランプ（図示せず）を配置して光出力開口部５を導光板１０の入射面１１に対向し、導光板１０の射出面に配光制御部材１２５を介して表示板１２６を配置し、ケース１２７に固定した表示灯などの照明器具では、配光制御部材１２５が導光板１０の広い面積の出射面１０ａに合わせた形状をもつ必要があるので、面積が大きくなる。
【００１５】
またランプ交換時にはランプ１，外殻部材２および配光制御部材３がユニットで行なわれ、導光板１０は交換されないので安価にでき、また外殻部材２でランプ１を覆ったまま交換できるのでランプ１が冷陰極蛍光灯のように細い径であっても破損等がない。また導電端子４を用いたのでランプ線処理の煩わしさがない。さらに電圧がかかっている部分に触れにくく、ランプの強制発振を続けてもランプ線と比較して漏れ電流が発生しにくく、ランプ光束の立ち上がりが安定し、冷所や暗所での始動性がよい。
【００１６】
この発明の第２の実施の形態を図４に示す。すなわち、この照明装置は、第１の実施の形態において、光出力開口部５の一部のみを配光制御部材３で覆ったものである。実施の形態では一対の配光制御部材３により光出力開口部５の両端のみを被覆し、これによって図３と同様なランプ１の長手方向の配光曲線を得ようとするものである。また配光制御部材３の形状は配光制御部材３の両側を内向きに折返す折返し片１１を形成したものであり、折返し片１１を外殻部材２のスリット８に嵌着している。なお中央のスリット８はなくしている。
【００１７】
その他は、第１の実施の形態と同様である。
この発明の第３の実施の形態を図５に示す。すなわち、この照明装置は、第１の実施の形態において、導電端子４の向きを変えたもので、外殻部材２の両端の光出力開口部５に近い両側部に溝７を形成し、溝７に導電端子４を貫着している。その他は、第１の実施の形態と同様である。
【００１８】
この発明の第４の実施の形態を図６に示す。すなわち、この照明装置は、第１の実施の形態において、配光制御部材３として光拡散フィルムを用い、この配光制御部材３を外殻部材２の光出力開口部５に取付けて光出力開口部５の全体を被覆したものである。
その他は第１の実施の形態と同様である。なお、この照明装置は、表示板の厚さ方向の裏面側に配置する内照式にも適用することができる。
【００１９】
この発明の第５の実施の形態を図７に示す。すなわち、この照明装置は、第１の実施の形態において、ランプ１を２本にし、各ランプ１に導電端子４をそれぞれ接続し、各導電端子４に貫着する溝７を外殻部材２に形成している。
この実施の形態によれば、ランプ１を２本とも点灯すると明るさが倍になり、ランプ１を１本ずつ点灯すると寿命が結果的に２倍になる。
【００２０】
その他は第１の実施の形態と同様であり、また第２の実施の形態ないし第４の実施の形態にも適用することができる。
この発明の第６の実施の形態を図８ないし図１０に示す。すなわち、この照明装置は、第１の実施の形態において、外殻部材２の内面を反射面に形成したものである。実施の形態の外殻部材２は一対の半体２ａ，２ｂを薄肉により形成したヒンジ部２ｃを介して一体に形成し、半体２ｂの両端面に逆止爪１６を形成し、逆止爪１６を受ける受け部１７を他の半体２ａの両端面に形成し、半体２ａ，２ｂを相合わせたとき逆止爪１６と受け部１７が係合して、光出力開口部５を有する箱形の外殻部材２を形成し、内面は塗装や反射板の貼付等により反射面に形成している。このとき、図８（ａ）に示すように冷陰極蛍光灯を用いたランプ１の両端の電極にリード線１５を接続し導電端子４′に接続したものを同図（ｂ）に示すように半体２ａ側に同時成形している。
【００２１】
図１０は、この照明装置を表示灯に適用した状態を示すもので、２０は器具本体、２１は表示具である。器具本体２０において、２２はランプソケット、２３にユッニトホルダ、２４は発振器、２５は表示具引っ掛け受け具である。表示具２１において、２６は導光板、２６ａはその表示面、２７は取付板、２８は略ひし形の引っ掛けばねである。照明装置Ａにおいて、２９は導光板の進入を規制するストッパである。ランプ１の端子４′をソケット２２に挿着するとともに、照明装置Ａに設けた引っ掛け片２ｄをユニットホルダ２３に引っ掛けて照明装置Ａを器具本体２０に取付ける。引っ掛けばね２８を引っ掛け受け具２５に差込み係止すると取付板２７が器具本体２０の開口を塞いた状態に表示具２１が器具本体２０に取付けられる。
【００２２】
ソケット２２を通してランプ１に電力を供給するとランプ１が点灯し、光出力開口部５より表示具２１の導光板２６の入射面に入射し、表示面２６ａより出射する。
この照明装置によれば、内照式と比べてランプ交換時にランプ線１５の影が表示面２６に映り込んだりせず、また輝度むらができにくく、さらにランプ線１５の処理の煩わしさがない。またランプ線１５には２００Ｖ以上の微弱電流が流れるが漏れ電流が発生しにくく、ランプの光束立ち上がりが安定する。ランプ取扱とき破損等がしにくく、この光源ユニットである照明装置のみの安価な交換部品とすることができ、さらに反射面によりさらに器具効率を向上することができる。その他は第１の実施の形態と同様である。
【００２３】
図１１は表示灯器具本体の他の実施の形態であり、器具本体２０の開口を導光式表示板で被覆して表示具を表示板の板厚方向に透光する構成である。器具本体２０は箱形で側面に開口を形成している。発振器２４は両端部の前面に一対のソケット２２を設けている。これに対応して照明装置Ａは両端の取付面側に取付け兼用の端子４′を設けている。３０は取付ねじ、３３は蓄電池である。
【００２４】
表示具２１は上端部に取付ねじ３０を通す孔３２を形成しており、孔３２に通した取付ねじ３０の先端につまみナット３１をねじ込んで表示具２１を器具本体２０に取付けている。
照明装置Ａを点灯すると、表示具２１を透して表示面２６より出射する。
図１２ないし図１５は光源ユニットとなる照明装置Ａの別の実施の形態を示し、図１２は端子４′の位置が異なるもの、図１３はランプ１が多灯であるもの、図１４は端面を入射面とした導光板等が外殻部材２に入り込んでランプ１が割れないようにしたもの、図１５は光出力開口部５に配光制御部材３として拡散用パネルを設けたものであり、内照式に適用することが可能である。２９は前記したように導光板の進入を防ぐストッパ、３５は配光制御部材３３の突起を係止するための取付溝である。
【００２５】
この発明の第７の実施の形態を図１６に示す。すなわち、この照明装置は、外殻部材２および配光制御部材３を、全体的に拡散性を有する透光筒状体により形成している。実施の形態では、拡散性の一対の半筒体３６，３７を形成し、これらを薄肉により形成したヒンジ３８で一体に連結し、これらを合わせて筒状に形成しているが、ヒンジ３８ではなく別の結合手段で結合してもよい。
【００２６】
この実施の形態によれば、内照式の照明器具に適用した場合、ランプ線の影が表示面に映りこんだりしないとともに、ランプ１と比較して発光面積が大きくなるので表示面に輝度むらができにくい。
図１７は照明装置Ａを表示灯に適用した別の実施の形態であり、導電端子４′を照明装置１の両端の外向きに向け、器具本体２０の内側面に設けたソケット２２の挿着部２２ａに導電端子４′を挿着して器具本体２０内に収納した例である。２４は発振器、３３は蓄電池、４０は内照式の表示板であり、公知の取付手段により器具本体２０の開口縁部に取付けられる。
【００２７】
【発明の効果】
請求項１の照明装置によれば、ランプを点灯すると配光制御部材から配光された光が出射する。したがって配光制御部材の前側に導光板の入射部分を配置すると導光板に入射する光を制御できるので効率がよく、しかも導光板の射出面に配光制御部材を設けるものと比較して面積が小さいので安価になる。またランプ交換時にはランプ，外殻部材および配光制御部材がユニットで行なわれ、導光板は交換されないので安価にでき、また外殻部材でランプを覆ったまま交換できるのでランプが冷陰極蛍光灯のように細い径であっても破損等がない。また導電端子を用いたのでランプ線処理の煩わしさがない。さらに電圧がかかっている部分に触れにくく、ランプの強制発振を続けてもランプ線と比較して漏れ電流が発生しにくく、ランプ光束の立ち上がりが安定し、冷所や暗所での始動性がよい。
【００２８】
請求項２の照明装置によれば、請求項１と同様な効果がある。
請求項３の照明装置によれば、請求項１または請求項２と同様な効果のほか、表示板の板厚方向の内側にこの照明装置を配置するような内照式の照明器具に適用でき、ランプ線の影が表示面に映り込んだりせず、また発光面積が大きくなるので表示面に輝度むらができにくい。
【図面の簡単な説明】
【図１】この発明の第１の実施の形態の分解斜視図である。
【図２】外殻部材の光出力開口部に導光板の入射面を対向した状態の斜視図である。
【図３】外殻部材の光出力開口部の配光曲線図である。
【図４】第２の実施の形態の斜視図である。
【図５】第３の実施の形態の斜視図である。
【図６】第４の実施の形態の斜視図である。
【図７】第５の実施の形態の斜視図である。
【図８】第６の実施の形態を示し、（ａ）はランプ部分の斜視図、（ｂ）は外殻部材を展開した状態の斜視図である。
【図９】照明装置の斜視図である。
【図１０】表示灯に適用した状態の分解斜視図である。
【図１１】第７の実施の形態を表示灯に適用した状態の分解斜視図である。
【図１２】照明装置の他の実施の形態の斜視図である。
【図１３】照明装置のさらに他の実施の形態の斜視図である。
【図１４】照明装置のさらに他の実施の形態の斜視図である。
【図１５】照明装置のさらに他の実施の形態の斜視図である。
【図１６】第８の実施の形態の斜視図である。
【図１７】さらに他の実施の形態を表示灯に適用した状態の分解斜視図である。
【図１８】第１の従来例の斜視図である。
【図１９】第２の従来例の斜視図である。
【図２０】第３の従来例の斜視図である。
【図２１】第４の従来例の分解斜視図である。
【図２２】提案例の分解斜視図である。
【符号の説明】
１    ランプ
２    外殻部材
３    配光制御部材
４，４′  導電端子
５    光入力開口部
【図１】
0003617241.tif 000002
【図２】
0003617241.tif 000003
【図３】
0003617241.tif 000004
【図４】
0003617241.tif 000005
【図５】
0003617241.tif 000006
【図６】
0003617241.tif 000007
【図７】
0003617241.tif 000008
【図８】
0003617241.tif 000009
【図９】
0003617241.tif 000010
【図１０】
0003617241.tif 000011
【図１１】
0003617241.tif 000012
【図１２】
0003617241.tif 000013
【図１３】
0003617241.tif 000014
【図１４】
0003617241.tif 000015
【図１５】
0003617241.tif 000016
【図１６】
0003617241.tif 000017
【図１７】
0003617241.tif 000018
【図１８】
0003617241.tif 000019
【図１９】
0003617241.tif 000020
【図２０】
0003617241.tif 000021
【図２１】
0003617241.tif 000022
【図２２】
0003617241.tif 000023